(57)【要約】【課題】本発明は、録画再生中に番組放送の開始を自動的に視聴者に知らせることが可能なテレビ放送録画再生装置を提供することを目的とする。【解決手段】本発明によるテレビ放送録画再生装置は、テレビ放送を受信するテレビ放送受信部１０と、テレビ放送を録画するための制御を行う記録制御部１５と、記録制御部１５の制御によってテレビ放送を録画する記録媒体１６と、記録媒体１６に録画されたテレビ放送を読み出して再生する再生制御部１７と、外部から操作の入力を行う操作入力部１３と、テレビ放送受信部１０にて受信されたテレビ放送に含まれる番組情報に基づいて、現在時刻より所定近時間後に開始される番組の予告の一覧を生成する番組予告生成手段（１１、１２、１４、１９、２０）と、再生制御部１７から出力されたテレビ放送、および番組予告生成手段から出力された番組の予告の一覧を表示する表示部１８とを備えることを特徴とする。【選択図】図１
2010283723.tif 000002
【特許請求の範囲】
【請求項１】
テレビ放送を受信し、当該番組の録画および再生を行うテレビ放送録画再生装置であって、
第１のテレビ放送を受信する第１のテレビ放送受信手段と、
前記第１のテレビ放送を録画するための制御を行う録画制御手段と、
前記録画制御手段の制御によって前記第１のテレビ放送を録画する録画手段と、
前記録画手段に録画された前記第１のテレビ放送を読み出して再生する再生制御手段と、
外部から操作の入力を行う操作入力手段と、
前記第１のテレビ放送受信手段にて受信された前記第１のテレビ放送に含まれる番組情報に基づいて、現在時刻より所定近時間後に開始される番組の予告の一覧を生成する番組予告生成手段と、
前記再生制御手段から出力された前記第１のテレビ放送、および前記番組予告生成手段から出力された前記番組の予告の一覧を表示する表示手段と、
を備える、テレビ放送録画再生装置。
【請求項２】
前記録画制御手段は、
前記操作入力手段からの入力に基づいて、前記表示手段にて表示された前記番組予告の一覧から所定番組のチャンネルが選局されると、当該所定番組を前記録画手段に録画する制御を行うことを特徴とする請求項１に記載のテレビ放送録画再生装置。
【請求項３】
前記番組予告生成手段は、
前記第１のテレビ放送受信手段にて受信された前記第１のテレビ放送から、少なくとも前記現在時刻以後に開始される番組の番組情報を抽出する番組情報抽出手段と、
現在の日時および時刻を取得する時計手段と、
前記番組情報に含まれる前記現在時刻以後に開始される番組の開始時間と、前記時計手段から出力された前記現在時刻とを比較し、前記現在時刻よりも所定近時間後に開始される番組の検出を行う比較手段と、
前記比較手段によって検出された前記現在時刻よりも所定近時間後に開始される番組の予告の一覧を生成し、前記一覧の画面を提示する操作画面提示手段と、
を備えることを特徴とする、請求項１または２に記載のテレビ放送録画再生装置。
【請求項４】
前記操作画面提示手段は、前記操作入力手段によって前記一覧から前記番組の選択操作が可能な画面を提示することを特徴とする、請求項３に記載のテレビ放送録画再生装置。
【請求項５】
第２のテレビ放送を受信する第２のテレビ放送受信手段をさらに備え、
前記録画制御手段は、
前記第２のテレビ放送の追っかけ再生中において、前記第１のテレビ放送受信手段によって受信された前記第１のテレビ放送から抽出した前記番組情報に基づいて、前記番組予告生成手段によって生成された前記現在時刻よりも所定近時間後に開始される番組の予告の一覧から、前記操作入力手段からの入力に基づいて所定番組のチャンネルが選局されると、当該所定番組を前記録画手段に録画する制御を行うことを特徴とする、請求項１ないし４のいずれかに記載のテレビ放送録画再生装置。
【請求項６】
視聴した番組のチャンネルについての視聴時間を積算する視聴時間積算手段と、
前記チャンネルごとに積算された前記視聴時間を記憶する記憶手段と、
をさらに備え、
前記操作画面提示手段は、前記番組予告生成手段にて前記番組情報に基づいて生成された前記現在時刻よりも所定近時間後に開始される番組の予告の一覧に対して、前記視聴時間が最も長いチャンネルの番組についてハイライト表示することを特徴とする、請求項１ないし５のいずれかに記載のテレビ放送録画再生装置。
【請求項７】
前記記憶手段は、前記チャンネルごとに積算された前記視聴時間を所定時間帯に対応付けて記憶し、
前記操作画面提示手段は、前記所定時間帯において、前記番組予告生成手段にて前記番組情報に基づいて生成された前記現在時刻よりも所定近時間後に開始される番組の予告の一覧に対して、前記視聴時間が最も長いチャンネルの番組についてハイライト表示することを特徴とする、請求項１ないし５のいずれかに記載のテレビ放送録画再生装置。
【請求項８】
前記番組情報は番組のジャンルを含み、
前記視聴時間積算手段は、視聴した番組前記ジャンルについての視聴時間を積算し、
前記記憶手段は、前記ジャンルごとに積算された前記視聴時間を記憶し、
前記操作画面提示手段は、前記番組予告生成手段にて前記番組情報に基づいて生成された前記現在時刻よりも所定近時間後に開始される番組の予告の一覧に対して、前記視聴時間が最も長いジャンルの番組についてハイライト表示することを特徴とする、請求項１ないし５のいずれかに記載のテレビ放送録画再生装置。
【請求項９】
前記録画制御手段は、
前記番組予告生成手段にて前記番組情報に基づいて生成された前記現在時刻よりも所定近時間後に開始される番組の予告の一覧のうち、前記ハイライト表示された番組を自動的に選択して前記録画手段に録画する制御を行うことを特徴とする、請求項６ないし８のいずれかに記載のテレビ放送録画再生装置。
【請求項１０】
前記第１のテレビ放送受信手段にて受信された前記第１のテレビ放送のビットレートを低ビットレートに変換するビットレート変換手段をさらに備えることを特徴とする、請求項１ないし９のいずれかに記載のテレビ放送録画再生装置。
【発明の詳細な説明】
【技術分野】
【０００１】
本発明は、テレビ放送の受信機能および録画再生機能を有するテレビ放送録画再生装置に関し、特に録画再生中等に見たいテレビ番組を欠落なく視聴するための技術に関する。
【背景技術】
【０００２】
近年、ＤＶＤ（Ｄｉｇｉｔａｌ  Ｖｅｒｓａｔｉｌｅ  Ｄｉｓｋ）レコーダーやＢＤ（Ｂｌｕ−ｒａｙ  Ｄｉｓｋ）レコーダーなどによって、テレビ放送を手軽に録画再生することができるようになってきた。録画されたテレビ放送の再生中（録画再生中）に視聴者が見たいテレビ番組が放送される場合において、視聴者が見たいテレビ番組が放送されていることに気付いたときには既に放送が開始されて途中であったり終了しているため、見たいテレビ番組を欠落なく視聴することができないことがあった。
【０００３】
このような問題の対策として、入力手段によって予め日時（テレビ番組の放送開始時間）を入力しておき、入力された日時の所定時間前になるとテレビ番組の放送開始の到来を知らせる情報記録再生装置がある（例えば、特許文献１参照）。
【先行技術文献】
【特許文献】
【０００４】
【特許文献１】特開２００３−１６３８６８号公報
【発明の概要】
【発明が解決しようとする課題】
【０００５】
特許文献１では、視聴者が予め見たいテレビ番組の放送開始時間を入力しておく必要があった。また、視聴者が入力し忘れる可能性があった。
【０００６】
また、ＨＤＤ（Ｈａｒｄ  Ｄｉｓｋ  Ｄｒｉｖｅ）などの記録媒体をテレビに内蔵などすることによって、視聴中のテレビ番組の一時停止、解除（再生）を行う追っかけ再生が可能な製品が普及しつつある。しかし、追っかけ再生を行っているときは実際の放送との時間差が生じるため、追っかけ再生中によるテレビ番組が終了したときには他のテレビ番組の放送が開始されて途中であったり終了しているため、見たいテレビ番組を欠落なく視聴することができないことがあった。
【０００７】
本発明は、これらの問題を解決するためになされたものであり、録画再生中に番組放送の開始を自動的に視聴者に知らせることが可能なテレビ放送録画再生装置を提供することを目的とする。
【課題を解決するための手段】
【０００８】
上記の課題を解決するために、本発明によるテレビ放送録画再生装置は、テレビ放送を受信し、当該番組の録画および再生を行い、第１のテレビ放送を受信する第１のテレビ放送受信手段と、第１のテレビ放送を録画するための制御を行う録画制御手段と、録画制御手段の制御によって第１のテレビ放送を録画する録画手段と、録画手段に録画されたテレビ放送を読み出して再生する再生制御手段と、外部から操作の入力を行う操作入力手段と、第１のテレビ放送受信手段にて受信された第１のテレビ放送に含まれる番組情報に基づいて、現在時刻より所定近時間後に開始される番組の予告の一覧を生成する番組予告生成手段と、再生制御手段から出力された第１のテレビ放送、および番組予告生成手段から出力された番組の予告の一覧を表示する表示手段とを備えることを特徴とする。
【発明の効果】
【０００９】
本発明によると、外部から操作の入力を行う操作入力手段と、第１のテレビ放送受信手段にて受信された第１のテレビ放送に含まれる番組情報に基づいて、現在時刻より所定近時間後に開始される番組の予告の一覧を生成する番組予告生成手段と、再生制御手段から出力された第１のテレビ放送、および番組予告生成手段から出力された番組の予告の一覧を表示する表示手段とを備えるため、録画再生中に番組放送の開始を自動的に視聴者に知らせることが可能となる。
【図面の簡単な説明】
【００１０】
【図１】本発明の実施形態１によるテレビ放送録画再生装置のブロック図である。
【図２】本発明の実施形態１による番組の一覧表の表示例を示す図である。
【図３】本発明の実施形態２によるテレビ放送録画再生装置のブロック図である。
【図４】本発明の実施形態３によるテレビ放送録画再生装置のブロック図である。
【図５】本発明の実施形態３によるメモリの記録を示す図である。
【図６】本発明の実施形態４によるメモリの記録を示す図である。
【図７】本発明の実施形態５によるメモリの記録を示す図である。
【図８】本発明の実施形態７によるテレビ放送録画再生装置のブロック図である。
【発明を実施するための形態】
【００１１】
本発明の実施形態について、図面を用いて以下に説明する。
【００１２】
〈実施形態１〉
図１は、本発明の実施形態１によるテレビ放送録画再生装置のブロック図である。図１に示すように、本実施形態１によるテレビ放送録画再生装置は、テレビ放送を受信し、当該番組の録画および再生を行い、テレビ放送（第１のテレビ放送）を受信するテレビ放送受信部１０（第１のテレビ放送受信手段）と、テレビ放送を録画するための制御を行う記録制御部１５（録画制御手段）と、記録制御部１５の制御によってテレビ放送を録画する記録媒体１６（録画手段）と、記録媒体１６に録画されたテレビ放送を読み出して再生する再生制御部１７（再生制御手段）と、外部から操作の入力を行う操作入力部１３（操作入力手段）と、テレビ放送受信部１０にて受信されたテレビ放送に含まれる番組情報に基づいて、現在時刻より所定近時間後に開始される番組の予告の一覧を生成する後述の番組予告生成手段と、再生制御部１７から出力されたテレビ放送、および番組予告生成手段から出力された番組の予告の一覧を表示する表示部１８（表示手段）とを備える。
【００１３】
また、上述した番組予告生成手段は、テレビ放送受信部１０にて受信されたテレビ放送から、少なくとも現在時刻以後に開始される番組の番組情報を抽出する番組情報抽出部１１（番組情報抽出手段）と、現在の日時および時刻を取得する時計１２（時計手段）と、番組情報に含まれる現在時刻以後に開始される番組の開始時間と、時計１２から出力された現在時刻とを比較し、現在時刻よりも所定近時間後に開始される番組の検出を行う比較部１９（比較手段）と、比較部１９によって検出された現在時刻よりも所定近時間後に開始される番組の予告の一覧を生成し、一覧の画面を提示する操作画面提示部２０（操作画面提示手段）とを備える。
【００１４】
テレビ放送受信部１０では、テレビ放送をＲＦ（Ｒａｄｉｏ  Ｆｒｅｑｕｅｎｃｙ）信号として受信する。当該ＲＦ信号は、ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）、ＰＡＬ（Ｐｈａｓｅ  Ａｌｔｅｒｎａｔｉｏｎ  ｂｙ  Ｌｉｎｅ）などによって放送されるアナログ放送、または、ＶＳＢ（Ｖｅｓｔｉｇｉａｌ  Ｓｉｄｅ  Ｂａｎｄ）、ＱＡＭ（Ｑｕａｄｒａｔｕｒｅ  Ａｍｐｌｉｔｕｄｅ  Ｍｏｄｕｌａｔｉｏｎ）、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）などによって放送されるデジタル放送がある。
【００１５】
テレビ放送受信部１０にてアナログ放送を受信している場合は、記録媒体１６に録画が可能となるようにデジタル変換した後に、ＭＰＥＧ（Ｍｏｖｉｎｇ  Ｐｉｃｔｕｒｅ  Ｅｘｐｅｒｔｓ  Ｇｒｏｕｐ）などによって圧縮処理してデジタル映像音声信号を出力する。また、テレビ放送受信部１０にてデジタル放送を受信している場合は、放送されているＭＰＥＧで圧縮処理されたデジタル映像音声信号を出力する。なお、本発明の実施形態によるテレビ放送受信部１０は、ＭＰＥＧで圧縮処理されたデジタル映像音声信号を出力しているが、ＪＰＥＧ（Ｊｏｉｎｔ  Ｐｈｏｔｏｇｒａｐｈｉｃ  Ｅｘｐｅｒｔｓ  Ｇｒｏｕｐ）などの他の圧縮方法や、圧縮処理しないデジタル映像音声信号またはアナログ映像音声信号であってもよい。
【００１６】
番組情報抽出部１１では、テレビ放送受信部１０にて受信されたテレビ放送（デジタル映像音声信号）に含まれる番組情報から、少なくともチャンネル、放送番組の番組名、および番組開始時間を抽出して記憶する。番組情報は、インターネットなどを経由して入手してもよい。
【００１７】
時計１２は、現在時刻を取得する機能を有している。
【００１８】
操作入力部１３では、テレビ放送録画再生装置に設置したボタンやリモコンなど、ユーザー（視聴者）がテレビ放送録画再生装置を操作するための入力部である。操作入力部１３を操作することによって、受信チャンネルの選択や、録画または再生の開始が可能になる。操作入力部１３によって操作を行う際、上記機能を表すアイコンを表示画面に表示し、任意のアイコンを選択することによって上記機能を実行させるようにしてもよい。
【００１９】
比較部１９では、番組情報抽出部１１にて抽出された番組情報に含まれる番組開始時間より少なくともユーザーがチャンネルを選択するために必要な時間だけ前の時間である番組開始比較時間と、時計１２にて取得される現在時刻との比較を行い、新しく始まる番組（新規番組）の検出を行う。
【００２０】
操作画面提示部２０では、比較部１９によって検出された結果を一覧表示する画面を生成して表示部１８に出力して表示する。操作画面提示部２０にて生成された一覧表示画面に対して操作入力部１３から制御部１４を介して入力された選択状況は、表示部１８に出力する。
【００２１】
制御部１４では、操作入力部１３からの入力によってチャンネルの選択を行い、選択状況を操作画面提示部２０に出力する。テレビ放送受信部１０にて選択された番組のチャンネルの受信が行われ、記録媒体１６に受信した番組を録画するように記録制御部１５に対して指示を行う。また、上記の他にも、テレビ放送録画再生装置の全体の制御を行っている。
【００２２】
記録制御部１５では、テレビ放送受信部１０から出力されたデジタル映像音声信号を記録媒体１６に記録するための書き込みの制御を行う。
【００２３】
記録媒体１６では、記録制御部１５によって書き込まれたデジタル映像音声信号を記録保持する。記録媒体１６は、デジタル映像音声信号の記録および再生が同時に行えるものであり、例えば、ＨＤＤ、ＤＶＤディスク、ＵＳＢ（Ｕｎｉｖｅｒｓａｌ  Ｓｅｒｉａｌ  Ｂｕｓ）メモリなどのフラッシュメモリなどがある。
【００２４】
再生制御部１７では、制御部１４を介した操作入力部１３からの入力指示に従って、記録媒体１６に記録されているデジタル映像音声信号を読み出し、再生デジタル映像音声信号として表示部１８に出力する。
【００２５】
表示部１８では、再生制御部１７から再生デジタル映像音声信号が入力される。入力される再生デジタル映像音声信号のうち、ＭＰＥＧなどによって圧縮処理された信号が入力された場合は、表示部１８にてデコードされる。入力された再生デジタル映像音声信号は、液晶パネルやＰＤＰなどでの映像の表示に適した信号に変換して表示するとともに、スピーカーなどから音声信号を発音させる。また、表示部１８では、操作画面提示部２０から入力された画面を必要に応じて表示する。
【００２６】
次に、本実施形態１によるテレビ放送録画再生装置の動作について説明する。
【００２７】
テレビ放送受信部１０にて受信された放送信号は、デジタル映像音声信号として番組情報抽出部１１および記録制御部１５に入力される。デジタル映像音声信号は番組情報を含み、当該番組情報には、チャンネル、番組のタイトル、放送局、番組の開始時間および放送時間、ジャンル、出演者などを含み、現時点で放送されている番組の番組情報だけでなく、現在選局されているチャンネル以外のチャンネルについての番組情報や、これらのチャンネルで今後放送される番組の番組情報も含まれる。例えば、デジタル放送の場合は、放送の番組情報から上記情報を取得することができる。
【００２８】
番組情報抽出部１１では、テレビ放送受信部１０にて受信可能な全てのチャンネルの番組情報を抽出する。番組情報の抽出の際は、必要に応じてテレビ放送受信部１０にて受信するチャンネルを変更する。番組情報抽出部１１では、テレビ放送受信部１０から出力されたデジタル映像音声信号から、少なくとも時計１２にて取得される現在時刻以降に開始される番組のチャンネル、放送番組の番組名、番組開始時間についての番組情報を抽出する。また、番組情報抽出部１１による番組情報の抽出は、記録媒体１６に予め録画されているデジタル映像音声信号を再生制御部１７によって再生し、再生デジタル映像音声信号として表示部１８に表示している間（再生表示中）に行う。
【００２９】
再生表示中において、比較部１９では、時計１２にて取得された現在時刻と、番組情報抽出部１１にて抽出された番組情報に含まれる番組開始時間から算出された比較開始時間とを比較して新規番組を検出する。新規番組を開始から見逃すことなく視聴するためには、新規番組が始まる前に視聴者に通知して、視聴者が希望の新規番組の選択を行う必要があるため、これらの動作を行うための時間の確保が必要である。また、視聴者が新規番組の中から選択した番組を記録媒体１６に録画するために、チャンネルの選局記録媒体１６に録画を開始するまでの時間の確保も必要である。このように、番組情報に含まれる番組開始時間から算出された比較開始時間は、番組の開始時間から上記２つの動作に必要な時間を差し引いた時間となる。なお、検出される新規番組は、番組開始時間に近接する時間に開始される番組を含めてもよい。
【００３０】
制御部１４では、比較開始時間と現在時刻とを比較して一致したことを検出すると、その旨を検出結果として操作画面提示部２０に出力する。そして、操作画面提示部２０では、入力された検出結果から番組の一覧表を生成して表示部１８に出力して表示させる。すなわち、操作画面提示部２０は、操作入力部１３によって一覧から番組の選択操作が可能な画面を提示する。視聴者は、表示部１８に表示された番組の一覧表の中から視聴希望の番組（すなわち、チャンネル）を、操作入力部１３を用いて選択する。図２は、本発明の実施形態１による番組の一覧表５０の表示例を示す図である。図２に示すように、１９：５４から開始される３つの番組が示されており、チャンネルと番組名とが対応付けて表示されている。なお、図２に示す番組の一覧表は、表示部１８の全画面で表示してもよく、画面端または画面中央に表示してもよい。また、表示部１８に表示される画面に任意のアイコンを表示させ、当該アイコンを操作入力部１３によって選択すると、番組の一覧表を表示させるようにしてもよい。
【００３１】
表示部１８にて表示された番組の一覧表から希望のチャンネルが選択されると、当該希望のチャンネルが制御部１４によってテレビ放送受信部１０にて選局される。そして、選択された希望のチャンネルの放送が開始する時間になると、記録媒体１６に記録するように記録制御部１５を制御する。このように、選択された希望のチャンネルの番組は、欠落することなく記録媒体１６に録画することができる。すなわち、記録制御部１５は、操作入力部１３からの入力に基づいて、表示部１８にて表示された番組予告の一覧から所定番組のチャンネルが選局されると、当該所定番組を記録媒体１６に録画する制御を行う。
【００３２】
なお、表示部１８にて番組の一覧表の表示中は、再生制御部１７からの録画再生の表示を一時停止状態にしてもよい。このとき、一覧表から希望の番組が選択された後は再生状態に戻す必要がある。また、番組の一覧表の表示と同時に、表示部１８に備えられたスピーカーから音を発生させることによって視聴者に対して番組の選択を促すようにしてもよい。さらに、再生制御部１７は、記録媒体１６に予め録画されたデジタル映像音声信号の再生が終了すると、引き続いて、番組の一覧表から選択して録画した番組（デジタル映像音声信号）を再生するようにしてもよい。
【００３３】
以上のことから、記録媒体１６に録画されているデジタル映像音声信号の再生中に、テレビ放送に含まれる番組情報を番組情報抽出部１１によって抽出し、抽出した番組情報から番組の開始を視聴者に通知して選択させ、選択された番組を記録媒体１６に録画するため、録画再生中に番組放送の開始を自動的に視聴者に知らせることが可能となり、視聴者はテレビ番組を見逃すことなく視聴することができる。
【００３４】
〈実施形態２〉
図３は、本発明の実施形態２によるテレビ放送録画再生装置のブロック図である。図３に示すように、本実施形態２によるテレビ放送録画再生装置は、テレビ放送受信部２５をさらに備え、視聴者が放送番組を視聴中に一時停止をし、一時停止を解除して続きを再生して実際に放送されている番組を追いかけるように再生する追っかけ再生を行うことを特徴としている。すなわち、テレビ放送（第２のテレビ放送）を受信するテレビ放送受信部２５（第２のテレビ放送受信手段）をさらに備え、記録制御部１５（録画制御手段）は、第２のテレビ放送の追っかけ再生中において、テレビ放送受信部１０（第１のテレビ放送受信手段）によって受信されたテレビ放送（第１のテレビ放送）から抽出した番組情報に基づいて、番組予告生成手段によって生成された現在時刻よりも所定近時間後に開始される番組の予告の一覧から、操作入力部１３（操作入力手段）からの入力に基づいて所定番組のチャンネルが選局されると、当該所定番組を記録媒体１６（録画手段）に録画する制御を行うことを特徴とする。
【００３５】
テレビ放送受信部２５は、テレビ放送受信部１０と同様の動作をする。テレビ放送受信部２５から出力されるデジタル映像音声信号は、記録制御部１５および表示部１８に入力される。その他の構成および動作は実施形態１と同様であるため、ここでは説明を省略する。
【００３６】
まず、追っかけ再生について説明する。
【００３７】
図３に示すように、テレビ放送受信部２５では、視聴者が視聴しているチャンネルを受信し、受信したチャンネルの放送番組を表示部１８に表示している。番組の視聴中において、任意のタイミングで操作入力部１３（リモコンなど）の操作によって視聴中の番組を一時停止させる。このとき、操作入力部１３は、制御部１４に一時停止の入力を行う。制御部１４は、テレビ放送受信部２５から出力されたデジタル映像音声信号を記録媒体１６に録画させる旨を記録制御部１５に通知するとともに、表示部１８に対しては現在表示している画面を静止画として保持するよう通知する。
【００３８】
操作入力部１３に対して再生（一時停止の解除）が入力されると、操作入力部１３は制御部１４に対して再生の入力を行う。制御部１４は、再生制御部１７に対して、記録媒体１６に録画された放送番組の再生を開始する。このとき、録画は継続される。再生制御部１７によって再生されたデジタル映像音声信号は、表示部１８に入力して表示される。
【００３９】
上記のように、追っかけ再生では、視聴者が放送番組を視聴中に任意のタイミングで放送番組を一時停止し、その後、任意のタイミングで一時停止した箇所から引き続き視聴することが可能となる。なお、本実施形態２では、一時停止の入力後に記録媒体１６に放送番組を録画しているが、放送番組の視聴の開始と同時に録画を開始してもよい。
【００４０】
次に、本実施形態２によるテレビ放送録画再生装置の動作について説明する。
【００４１】
図３に示すように、番組情報抽出部１１では、テレビ放送受信部１０にて選局されたチャンネルから番組情報を抽出する。テレビ放送受信部１０およびテレビ放送受信部２５を備えることによって、テレビ放送受信部２５にて受信して視聴しているチャンネルとは異なるチャンネルからも番組情報を抽出することが可能となる。また、当該番組情報は、本実施形態２では、テレビ放送受信部１０によって受信して出力されたデジタル映像音声信号から抽出しているが、インターネットから取得してもよい。
【００４２】
追っかけ再生を行っている場合（追っかけ再生中）において、比較部１９では、時計１２にて取得された現在時刻と、番組情報抽出部１１にて抽出された番組情報に含まれる番組開始時間から算出された比較開始時間とを比較して新規番組を検出する。新規番組を開始から見逃すことなく視聴するためには、新規番組が始まる前に視聴者に通知して、視聴者が希望の新規番組の選択を行う必要があるため、これらの動作を行うための時間の確保が必要である。また、視聴者が新規番組の中から選択した番組を記録媒体１６に録画するために、チャンネルの選局記録媒体１６に録画を開始するまでの時間の確保も必要である。このように、番組情報に含まれる番組開始時間から算出された比較開始時間は、番組の開始時間から上記２つの動作に必要な時間を差し引いた時間となる。なお、検出される新規番組は、番組開始時間に近接する時間に開始される番組を含めてもよい。
【００４３】
制御部１４では、比較開始時間と現在時刻とを比較して一致したことを検出すると、その旨を検出結果として操作画面提示部２０に出力する。そして、操作画面提示部２０では、入力された検出結果から番組の一覧表を生成して表示部１８に出力して表示させる。視聴者は、表示部１８に表示された番組の一覧表の中から視聴希望の番組（すなわち、チャンネル）を、操作入力部１３を用いて選択する。
【００４４】
表示部１８にて表示された番組の一覧表から希望のチャンネルが選択されると、当該希望のチャンネルが制御部１４によってテレビ放送受信部１０にて選局される。そして、選択された希望のチャンネルの放送が開始する時間になると、記録媒体１６に記録するように記録制御部１５を制御する。このように、選択された希望のチャンネルの番組は、欠落することなく記録媒体１６に録画することができる。
【００４５】
なお、表示部１８にて番組の一覧表の表示中は、再生制御部１７からの録画再生の表示を一時停止状態にしてもよい。このとき、一覧表から希望の番組が選択された後は再生状態に戻す必要がある。また、番組の一覧表の表示と同時に、表示部１８に備えられたスピーカーから音を発生させることによって視聴者に対して番組の選択を促すようにしてもよい。さらに、再生制御部１７は、記録媒体１６に予め録画されたデジタル映像音声信号の再生が終了すると、引き続いて、番組の一覧表から選択して録画した番組（デジタル映像音声信号）を再生するようにしてもよい。
【００４６】
以上のことから、追っかけ再生中に番組の開始を自動的に視聴者に通知することが可能となるため、視聴者はテレビ番組を見逃すことなく視聴することができる。
【００４７】
〈実施形態３〉
図４は、本発明の実施形態３によるテレビ放送録画再生装置のブロック図である。図４に示すように、本実施形態３によるテレビ放送録画再生装置は、視聴時間積算部３０およびメモリ３１をさらに備えることを特徴としている。すなわち、視聴した番組のチャンネルについての視聴時間を積算する視聴時間積算部３０（視聴時間積算手段）と、チャンネルごとに積算された視聴時間を記憶するメモリ３１（記憶手段）とをさらに備え、操作画面提示部２０は、番組予告生成手段にて番組情報に基づいて生成された現在時刻よりも所定近時間後に開始される番組の予告の一覧に対して、視聴時間が最も長いチャンネルの番組についてハイライト表示することを特徴とする。
【００４８】
視聴時間積算部３０は、視聴したチャンネル（視聴チャンネル）ごとに視聴時間を積算して積算時間を算出する。算出された積算時間は、チャンネルに関連付けられてメモリ３１に記憶される。また、時計１２は、現在時刻に加えて日付を取得する機能を有している。その他の構成および動作は実施形態１と同様であるため、ここでは説明を省略する。
【００４９】
次に、本実施形態３によるテレビ放送録画再生装置の動作について説明する。
【００５０】
視聴時間積算部３０では、視聴チャンネルごとに視聴の積算時間を算出し、算出した積算時間に日付を関連付けてメモリ３１に記憶する。メモリ３１には、所定期間における視聴チャンネルの積算時間が記憶されている。
【００５１】
図５は、本発明の実施形態３によるメモリ３１の記録を示す図である。図５に示すように、例えば、時計１２にて取得される現在の日付は７月４日であり、過去７日間の視聴積算時間が日付５１に関連付けられてメモリ３１に記憶されている。図５では、一例として、６月２９日における視聴チャンネル５２ごとの積算時間（視聴時間５３）を示している。日付ごとに視聴時間を積算してメモリ３１に記憶しているため、管理が容易になる。例えば、メモリ３１には過去７日間の視聴積算時間が記憶されているが、翌日になればメモリ３１に記憶されている最も過去の日付における視聴積算時間を消去すればよい。このように、日付ごとの視聴時間の管理が可能となる。なお、本実施形態３では過去７日間分の視聴時間を記憶しているが、記憶する期間は７日間に限らず任意の期間にしてもよい。
【００５２】
番組情報抽出部１１による番組情報の抽出は、記録媒体１６に予め録画されているデジタル映像音声信号を再生制御部１７によって再生し、再生デジタル映像音声信号として表示部１８に表示している間（再生表示中）に行う。
【００５３】
再生表示中において、比較部１９では、時計１２にて取得された現在時刻と、番組情報抽出部１１にて抽出された番組情報に含まれる番組開始時間から算出された比較開始時間とを比較して新規番組を検出する。新規番組を開始から見逃すことなく視聴するためには、新規番組が始まる前に視聴者に通知して、視聴者が希望の新規番組の選択を行う必要があるため、これらの動作を行うための時間の確保が必要である。また、視聴者が新規番組の中から選択した番組を記録媒体１６に録画するために、チャンネルの選局記録媒体１６に録画を開始するまでの時間の確保も必要である。このように、番組情報に含まれる番組開始時間から算出された比較開始時間は、番組の開始時間から上記２つの動作に必要な時間を差し引いた時間となる。なお、検出される新規番組は、番組開始時間に近接する時間に開始される番組を含めてもよい。
【００５４】
制御部１４では、メモリ３１にチャンネルごとに記憶された過去７日間分の視聴時間の総和を算出する。すなわち、現在から過去７日間に視聴したチャンネルの総和積算時間を算出する。
【００５５】
また、制御部１４は、比較開始時間と現在時刻とを比較して一致したことを検出すると、表示部１８にて表示する番組の一覧表の中で、総和積算時間が最も長いチャンネルについてハイライト表示させる。なお、ハイライト表示の方法は、他のチャンネルとは異なる色にする、枠を付ける、文字を大きくするなど、番組の一覧表の中で視聴者が視認容易な表示であればよい。
【００５６】
表示部１８にて表示された番組の一覧表から希望のチャンネルが選択されると、当該希望のチャンネルが制御部１４によってテレビ放送受信部１０にて選局される。そして、選択された希望のチャンネルの放送が開始する時間になると、記録媒体１６に記録するように記録制御部１５を制御する。このように、選択された希望のチャンネルの番組は、欠落することなく記録媒体１６に録画することができる。
【００５７】
なお、表示部１８にて番組の一覧表の表示中は、再生制御部１７からの録画再生の表示を一時停止状態にしてもよい。このとき、一覧表から希望の番組が選択された後は再生状態に戻す必要がある。また、番組の一覧表の表示と同時に、表示部１８に備えられたスピーカーから音を発生させることによって視聴者に対して番組の選択を促すようにしてもよい。さらに、再生制御部１７は、記録媒体１６に予め録画されたデジタル映像音声信号の再生が終了すると、引き続いて、番組の一覧表から選択して録画した番組（デジタル映像音声信号）を再生するようにしてもよい。
【００５８】
以上のことから、表示部１８にて表示する番組の一覧表の表示において、過去の所定期間で最も視聴時間が長いチャンネルを算出しているため、視聴者が好むチャンネルを算出することが可能となる。また、番組の一覧表の中で最も視聴時間が長いチャンネルに対してハイライト表示しているため、視聴者による希望のチャンネルの検索が容易となる。
【００５９】
なお、本実施形態３では、実施形態１の構成に基づいて説明したが、実施形態２の構成に対しても視聴時間積算部３０およびメモリ３１をさらに備えることによって同様の効果が得られる。
【００６０】
また、本実施形態３では、過去７日間の総和積算時間を算出して最も長い時間のチャンネルに対してハイライト表示しているが、同一曜日において最も積算時間が長いチャンネルに対してハイライト表示してもよい。
【００６１】
〈実施形態４〉
本発明の実施形態４では、チャンネルごとに積算された視聴時間を所定時間帯に対応付けてメモリ３１に記憶させることを特徴としている。すなわち、メモリ３１（記憶手段）は、チャンネルごとに積算された視聴時間を所定時間帯に対応付けて記憶し、操作画面提示部２０は、所定時間帯において、番組予告生成手段にて番組情報に基づいて生成された現在時刻よりも所定近時間後に開始される番組の予告の一覧に対して、視聴時間が最も長いチャンネルの番組についてハイライト表示することを特徴とする。その他の構成および動作は、実施形態３（図４）と同様であるため、ここでは説明を省略する。
【００６２】
図６は、本発明の実施形態４によるメモリ３１の記録を示す図である。図６に示すように、視聴チャンネル５６に対応する視聴時間５７は、各日付５１の時間帯５５ごとに記憶されている。図６では、一例として、４月１７日の１３：００〜１６：００における視聴チャンネル５６ごとの積算時間（視聴時間５７）を示している。なお、本実施形態４では、一日の始まりを２：００としているが、２：００以外の時間であってもよい。また、時間帯５５に示される時間帯の時間幅は一定であってもよく、図６に示すように、視聴チャンネルが頻繁に変わる時間帯は時間幅を小さくし、視聴チャンネルが変わらない時間帯では時間幅を大きくしてもよい。
【００６３】
番組情報抽出部１１による番組情報の抽出は、記録媒体１６に予め録画されているデジタル映像音声信号を再生制御部１７によって再生し、再生デジタル映像音声信号として表示部１８に表示している間（再生表示中）に行う。
【００６４】
再生表示中において、比較部１９では、時計１２にて取得された現在時刻と、番組情報抽出部１１にて抽出された番組情報に含まれる番組開始時間から算出された比較開始時間とを比較して新規番組を検出する。新規番組を開始から見逃すことなく視聴するためには、新規番組が始まる前に視聴者に通知して、視聴者が希望の新規番組の選択を行う必要があるため、これらの動作を行うための時間の確保が必要である。また、視聴者が新規番組の中から選択した番組を記録媒体１６に録画するために、チャンネルの選局記録媒体１６に録画を開始するまでの時間の確保も必要である。このように、番組情報に含まれる番組開始時間から算出された比較開始時間は、番組の開始時間から上記２つの動作に必要な時間を差し引いた時間となる。なお、検出される新規番組は、番組開始時間に近接する時間に開始される番組を含めてもよい。
【００６５】
制御部１４では、メモリ３１にチャンネルごと、かつ、新規番組の開始時間が属する時間帯に記憶された過去７日間分の視聴時間の総和を算出する。すなわち、該当する新規番組の開始時間帯における現在から過去７日間に視聴したチャンネルの総和積算時間を算出する。
【００６６】
また、制御部１４は、比較開始時間と現在時刻とを比較して一致したことを検出すると、表示部１８にて表示する番組の一覧表の中で、総和積算時間が最も長いチャンネルについてハイライト表示させる。
【００６７】
表示部１８にて表示された番組の一覧表から希望のチャンネルが選択されると、当該希望のチャンネルが制御部１４によってテレビ放送受信部１０にて選局される。そして、選択された希望のチャンネルの放送が開始する時間になると、記録媒体１６に記録するように記録制御部１５を制御する。このように、選択された希望のチャンネルの番組は、欠落することなく記録媒体１６に録画することができる。
【００６８】
以上のことから、視聴したチャンネルの積算時間は短いが、所定の時間帯ではよく視聴するチャンネルがある場合において、時間帯ごとに視聴チャンネルの視聴時間の積算時間を記録しているため、所定の時間帯で視聴者が好むチャンネルを算出することが可能となる。また、表示部１８にて表示する番組の一覧表の中で最も視聴時間が長いチャンネルに対してハイライト表示しているため、視聴者による希望のチャンネルの検索が容易となる。
【００６９】
なお、本実施形態３では、過去７日間の総和積算時間を算出して最も長い時間のチャンネルに対してハイライト表示しているが、同一曜日かつ同一時間帯において最も積算時間が長いチャンネルに対してハイライト表示してもよい。また、本実施形態４に示す構成および動作は、実施形態２のテレビ放送録画再生装置に対しても適用可能であり、本実施形態４と同様の効果を得ることができる。
【００７０】
〈実施形態５〉
本発明の実施形態５では、視聴した番組のジャンルごとに積算された視聴時間をメモリ３１に記憶させることを特徴としている。すなわち、番組情報は番組のジャンルを含み、視聴時間積算部３０（視聴時間積算手段）は、視聴した番組ジャンルについての視聴時間を積算し、メモリ３１（記憶手段）は、ジャンルごとに積算された視聴時間を記憶し、操作画面提示部２０は、番組予告生成手段にて番組情報に基づいて生成された現在時刻よりも所定近時間後に開始される番組の予告の一覧に対して、視聴時間が最も長いジャンルの番組についてハイライト表示することを特徴とする。その他の構成および動作は、実施形態３（図４）と同様であるため、ここでは説明を省略する。
【００７１】
テレビ放送受信部１０にて受信された放送信号は、デジタル映像音声信号として番組情報抽出部１１および記録制御部１５に入力される。デジタル映像音声信号は番組情報を含み、当該番組情報には、チャンネル、番組のタイトル、放送局、番組の開始時間および放送時間、ジャンル、出演者などを含み、現時点で放送されている番組の番組情報だけでなく、現在選局されているチャンネル以外のチャンネルについての番組情報や、これらのチャンネルで今後放送される番組の番組情報も含まれる。例えば、デジタル放送の場合は、放送の番組情報またはインターネット経由で上記情報を取得することができる。
【００７２】
制御部１４では、番組情報抽出部１１にて抽出された番組情報からジャンルを取得する。視聴時間積算部３０では、視聴している番組の視聴時間についてジャンルごとの積算時間を算出する。算出された積算時間は、ジャンルおよび日付に関連付けられて所定期間、メモリ３１に記憶される。
【００７３】
図７は、本発明の実施形態５によるメモリ３１の記録を示す図である。図７に示すように、例えば、時計１２にて取得される現在の日付は７月４日であり、過去７日間の視聴積算時間が日付５８に関連付けられてメモリ３１に記憶されている。図５では、一例として、６月２９日におけるジャンル５９ごとの積算時間（視聴時間６０）を示している。日付ごとに視聴時間を積算してメモリ３１に記憶しているため、管理が容易になる。例えば、メモリ３１には過去７日間の視聴積算時間が記憶されているが、翌日になればメモリ３１に記憶されている最も過去の日付における視聴積算時間を消去すればよい。このように、メモリ３１には過去７日間分の視聴積算時間が記憶されるように日々更新されており、日付ごとの視聴時間の管理が可能となる。なお、本実施形態５では過去７日間分の視聴時間を記憶しているが、記憶する期間は７日間に限らず任意の期間にしてもよい。
【００７４】
番組情報抽出部１１による番組情報の抽出は、記録媒体１６に予め録画されているデジタル映像音声信号を再生制御部１７によって再生し、再生デジタル映像音声信号として表示部１８に表示している間（再生表示中）に行う。
【００７５】
再生表示中において、比較部１９では、時計１２にて取得された現在時刻と、番組情報抽出部１１にて抽出された番組情報に含まれる番組開始時間から算出された比較開始時間とを比較して新規番組を検出する。新規番組を開始から見逃すことなく視聴するためには、新規番組が始まる前に視聴者に通知して、視聴者が希望の新規番組の選択を行う必要があるため、これらの動作を行うための時間の確保が必要である。また、視聴者が新規番組の中から選択した番組を記録媒体１６に録画するために、チャンネルの選局記録媒体１６に録画を開始するまでの時間の確保も必要である。このように、番組情報に含まれる番組開始時間から算出された比較開始時間は、番組の開始時間から上記２つの動作に必要な時間を差し引いた時間となる。なお、検出される新規番組は、番組開始時間に近接する時間に開始される番組を含めてもよい。
【００７６】
制御部１４では、メモリ３１にジャンルごとに記憶された過去７日間分の視聴時間の総和を算出する。すなわち、現在から過去７日間に視聴したチャンネルの総和積算時間を算出する。
【００７７】
また、制御部１４は、比較開始時間と現在時刻とを比較して一致したことを検出すると、表示部１８にて表示する番組の一覧表の中で、総和積算時間が最も長いチャンネルについてハイライト表示させる。なお、ハイライト表示の方法は、他のチャンネルとは異なる色にする、枠を付ける、文字を大きくするなど、番組の一覧表の中で視聴者が視認容易な表示であればよい。
【００７８】
表示部１８にて表示された番組の一覧表から希望のチャンネルが選択されると、当該希望のチャンネルが制御部１４によってテレビ放送受信部１０にて選局される。そして、制御部１４は、選択された希望のチャンネルの放送が開始する時間になると、記録媒体１６に記録するように記録制御部１５を制御する。このように、選択された希望のチャンネルの番組は、欠落することなく記録媒体１６に録画することができる。
【００７９】
以上のことから、メモリ３１にはジャンルごとの視聴積算時間が記憶されており、表示部１８にて表示する番組の一覧表の表示において、過去の所定期間で最も視聴時間が長いジャンルのチャンネルを算出しているため、視聴者が好むジャンルを算出することが可能となる。また、番組の一覧表の中で最も視聴時間が長いジャンルのチャンネルに対してハイライト表示しているため、視聴者による希望のチャンネルの検索が容易となる。
【００８０】
なお、本実施形態５では、番組情報に含まれるジャンルを使用したが、ジャンルの代わりに出演者などであってもよく、これらの組み合わせであってもよい。また、本実施形態５に示す構成および動作は、実施形態２のテレビ放送録画再生装置に対しても適用可能であり、本実施形態４と同様の効果を得ることができる。
【００８１】
〈実施形態６〉
実施形態３では、視聴時間が長いチャンネルに対してハイライト表示したチャンネルを含む番組の一覧表を表示部１８に表示し、視聴者が一覧表の中から希望の番組を選択しているが、本発明の実施形態６では、番組の一覧表の中からハイライト表示された番組を自動的に選択して記録媒体１６に録画することを特徴としている。すなわち、記録制御部１５（録画制御手段）は、番組予告生成手段にて番組情報に基づいて生成された現在時刻よりも所定近時間後に開始される番組の予告の一覧のうち、ハイライト表示された番組を自動的に選択して記録媒体１６（録画手段）に録画する制御を行うことを特徴とする。その他の構成および動作は、実施形態３（図４）と同様であるため、ここでは説明を省略する。
【００８２】
番組情報の抽出は、番組情報抽出部１１にて抽出されており、視聴時間積算部３０では、視聴チャンネルごとに視聴の積算時間を算出し、算出した積算時間に日付を関連付けてメモリ３１に記憶する。メモリ３１には、所定期間における視聴チャンネルの積算時間が記憶されている。
【００８３】
再生表示中において、比較部１９では、時計１２にて取得された現在時刻と、番組情報抽出部１１にて抽出された番組情報に含まれる番組開始時間から算出された録画開始時間とを比較して新規番組を検出する。選択した番組を開始から欠落なく録画するためには、選択した番組のチャンネルを選択して記録媒体１６に録画を開始するまでの時間の確保が必要である。従って、録画開始時間は、番組の開始時間から上記の動作に必要な時間を差し引いた時間となる。なお、検出される新規番組は、番組開始時間に近接する時間に開始される番組を含めてもよい。
【００８４】
制御部１４では、メモリ３１にチャンネルごとに記憶された過去７日間分の視聴時間の総和を算出する。すなわち、現在から過去７日間に視聴したチャンネルの総和積算時間を算出する。
【００８５】
また、制御部１４は、録画開始時間と現在時刻とを比較して一致したことを検出すると、一致した新規番組のチャンネルから総和積算時間が最も長いチャンネルを選択する（言い換えれば、実施形態３において番組の一覧表示の中でハイライト表示されたチャンネルを選択する）。総和積算時間が同一のチャンネルが複数存在するときは、過去の同一曜日において積算時間が最も長いチャンネルを選択する。また、このとき、過去の同一曜日において最も長い積算時間が同一である複数のチャンネルが存在するときは、現在時刻に最も近い時間で選局したチャンネルを選択する。選択したチャンネルの番組を記録媒体１６に録画するために、テレビ放送受信部１０にてチャンネルを選局し、記録制御部１５によって選局したチャンネルのデジタル映像音声信号を記録媒体１６に録画する。
【００８６】
さらに、制御部１４は、選択したチャンネルの番組の録画を開始することを視聴者に通知するために、選択したチャンネルや番組名などを表示部１８に出力する。表示部１８では、チャンネルや番組名などを表示して録画の開始を通知する。
【００８７】
以上のことから、過去の所定期間において最も視聴時間が長いチャンネルを検出し、当該検出に基づいて視聴者が好むチャンネルを自動的に録画するため、視聴者は好みに合った番組を見逃すことなく視聴することができる。
【００８８】
なお、本実施形態６に示す構成および動作は、実施形態４および５のテレビ放送録画再生装置に対しても適用可能であり、本実施形態６と同様の効果を得ることができる。
【００８９】
〈実施形態７〉
図８は、本発明の実施形態７によるテレビ放送録画再生装置のブロック図である。図８に示すように、本実施形態７によるテレビ放送録画再生装置は、ビットレート変換部４０をさらに備えることを特徴としている。すなわち、テレビ放送受信部１０（第１のテレビ放送受信手段）にて受信されたテレビ放送（第１のテレビ放送）のビットレートを低ビットレートに変換するビットレート変換部４０（ビットレート変換手段）をさらに備えることを特徴とする。その他の構成および動作は、実施形態１と同様であるため、ここでは説明を省略する。
【００９０】
ビットレート変換部４０は、入力されたＭＰＥＧなどのビットレートを低ビットレートに変換する。ビットレートの変換方法としては、テレビ放送受信部１０にてＭＰＥＧで圧縮処理されたものを、より圧縮率を高くして再コーディングしたり、解像度やビデオのフレームレートを低速にするなどの方法がある。
【００９１】
次に、本実施形態７によるテレビ放送録画再生装置の動作について説明する。
【００９２】
番組情報抽出部１１では、必要に応じて受信するチャンネルを変更して受信可能な全てのチャンネルの番組情報を抽出する。番組情報抽出部１１にて抽出される番組情報は、少なくとも時計１２にて取得される現在時刻以降に開始される番組についてのチャンネル、番組名、番組開始時間、およびジャンルである。
【００９３】
番組情報抽出部１１による番組情報の抽出は、記録媒体１６に予め録画されているデジタル映像音声信号を再生制御部１７によって再生し、再生デジタル映像音声信号として表示部１８に表示している間（再生表示中）に行う。
【００９４】
再生表示中において、比較部１９では、時計１２にて取得された現在時刻と、番組情報抽出部１１にて抽出された番組情報に含まれる番組開始時間から算出された比較開始時間とを比較して新規番組を検出する。新規番組を開始から見逃すことなく視聴するためには、新規番組が始まる前に視聴者に通知して、視聴者が希望の新規番組の選択を行う必要があるため、これらの動作を行うための時間の確保が必要である。また、視聴者が新規番組の中から選択した番組を記録媒体１６に録画するために、チャンネルの選局記録媒体１６に録画を開始するまでの時間の確保も必要である。このように、番組情報に含まれる番組開始時間から算出された比較開始時間は、番組の開始時間から上記２つの動作に必要な時間を差し引いた時間となる。なお、検出される新規番組は、番組開始時間に近接する時間に開始される番組を含めてもよい。
【００９５】
制御部１４は、比較開始時間と現在時刻とを比較して一致したことを検出すると、表示部１８にて表示する番組の一覧表を操作画面提示部２０にて生成させ、生成された番組の一覧表は表示部１８に出力して表示される。視聴者は、表示部１８にて表示された番組の一覧表（例えば、図２参照）から希望のチャンネルを操作入力部１３からの入力によって選択する。
【００９６】
表示部１８にて表示された番組の一覧表から希望のチャンネルが選択されると、当該希望のチャンネルが制御部１４によってテレビ放送受信部１０にて選局される。そして、選択された希望のチャンネルの放送が開始する時間になると、記録媒体１６に記録するように記録制御部１５を制御する。このとき、テレビ放送受信部１０から出力されたデジタル映像音声信号は、ビットレート変換部４０にて低ビットレートに変換される。ビットレート変換部４０にて行われる低ビットレート変換は、予め定められたビットレートから選択することによって決定されたビットレートでもよい。また、記録制御部１５が記録媒体１６に記録可能な残りの容量を検知するとともに、情報番組抽出部１１が抽出した番組情報から番組の放送時間を取得し、制御部１４によって記録媒体１６の残りの容量と放送番組の放送時間とからビットレートを算出し、ビットレート変換部４０に入力されたデジタル映像音声信号が算出したビットレートがよりも大きいときは、算出したビットレート以下になるようにビットレートを下げてもよい。選択した希望のチャンネルの番組の開始時間になると、ビットレート変換部４０にて低ビットレートに変換されたデジタル映像音声信号は、記録制御部１５によって記録媒体１６に録画される。このように、選択された希望のチャンネルの番組は、欠落することなく記録媒体１６に録画することができる。
【００９７】
以上のことから、選択された希望のチャンネルの番組を記録媒体１６に録画する際に、ビットレート変換部４０にてビットレートの調整が行われるため、記録容量が小さい記録媒体でも使用することができる。また、記録媒体１６の残り容量に合わせてビットレートを調整して欠落させることなく番組を録画することができるため、視聴者は欠落のない番組を視聴することができる。
【符号の説明】
【００９８】
１０  テレビ放送受信部、１１  番組情報抽出部、１２  時計、１３  操作入力部、１４  制御部、１５  記録制御部、１６  記録媒体、１７  再生制御部、１８  表示部、１９  比較部、２０  操作画面提示部、２５  テレビ放送受信部、３０  視聴時間積算部、３１  メモリ、４０  ビットレート変換部、５０  一覧表、５１  日付、５２  視聴チャンネル、５３  視聴時間、５４  日付、５５  時間帯、５６  視聴チャンネル、５７  視聴時間、５８  日付、５９  ジャンル、６０  視聴時間。
【図１】
2010283723.tif 000003
【図２】
2010283723.tif 000004
【図３】
2010283723.tif 000005
【図４】
2010283723.tif 000006
【図５】
2010283723.tif 000007
【図６】
2010283723.tif 000008
【図７】
2010283723.tif 000009
【図８】
2010283723.tif 000010